(57)【要約】  不連続送信方式及び圧縮モード送信方式の両方が適用されうる通信システムにおいて、特定チャネル送信のための制御情報を含むチャネルのプリアンブル及び／またはポストアンブルが圧縮モード送信方式による圧縮モード（ＣＭ）ギャップに重なる場合、該当の送信単位全体を送信しないか、ＣＭギャップに重なるプリアンブル及び／またはポストアンブルを除く残りの該当送信単位の信号を送信する。
2010518678.tif 000002
【特許請求の範囲】
【請求項１】
圧縮モード送信方式が適用される移動通信システムにおいて第１チャネル及び第２チャネルを送信する方法であって、
前記第１チャネルのプリアンブル及びポストアンブルのうち一つの送信区間がＣＭギャップと一部重なる場合、
前記ＣＭギャップを除いた前記第１チャネル送信区間の残りの送信区間に、第１チャネルを送信し、
前記第１チャネルの送信を開始してから一定時間が経過した後に検出のための情報を含む前記第２チャネルを送信する、ことを有し、
前記システムは、不連続送信（ＤＴＸ）方式及び圧縮モード方式を利用する、
ことを特徴とする方法。
【請求項２】
前記第１チャネルはＤＰＣＣＨであり、前記第２チャネルはＥ−ＤＣＨ及びＨＳ−ＤＰＣＣＨのうち一つである、請求項１に記載の方法。
【請求項３】
前記第１チャネル及び前記第２チャネルは、相異なるコードまたは相異なる直交位相成分を用いて多重化される、請求項１に記載の方法。
【請求項４】
前記第２チャネルのプリアンブルが同期化及び電力制御を行なうための制御情報を含む長い長さのプリアンブルである場合には、前記第１チャネル及び第２チャネルをいずれも送信しない、請求項１に記載の方法。
【請求項５】
前記第１チャネル及び第２チャネルはそれぞれ、不連続送信方式によって信号が送信されないＤＴＸ区間を含む、請求項１に記載の方法。
【請求項６】
制御チャネルを送信する方法であって、
前記制御チャネルのプリアンブルを送信する送信区間がＣＭギャップと一部重なる場合、
前記ＣＭギャップを送信区間から除いた残りの送信区間に前記制御チャネルのプリアンブルを送信し、
前記制御チャネル及び前記制御チャネルが検出に用いられる情報を含む拡張されたチャネルを送信する、ことを有し、
前記制御チャネル及び前記拡張されたチャネルはそれぞれ送信制限区間を含む、
ことを特徴とする方法。
【請求項７】
前記拡張されたチャネルはＥ−ＤＣＨであり、前記制御チャネルはＤＰＣＣＨである、請求項６に記載の方法。
【発明の詳細な説明】
【技術分野】
【０００１】
本発明は、移動通信システムに関するもので、より具体的には、移動通信システムで制御チャネルを送信する方法に関する。
【背景技術】
【０００２】
アップリンク送信、すなわち、使用者機器が送信の主体となる場合において、使用者機器の携帯持続時間の増加のためにバッテリー容量を増加させたり、使用者機器の電力消耗を減らすために電力を制御できる様々な方法が提案されている。このような電力制御方法の一つとして不連続送信方式がある。
【０００３】
不連続送信方式とは、例えば、移動電話や携帯無線電話機に音声信号がない時に、瞬間的にデータ送信出力を減らしたり無音状態にする方法である。二人が通話する時に、二人の通話者の通話時間はそれぞれ全体の半分以下に該当し、よって、もし送信機が音声入力時間にのみ連結されるとしたら、送信時間は５０％以下にすることもできる。これは、消耗電池の節約、送信機増幅器の負荷減少、時分割多重化（ＴＤＭ）面で他の信号とのチャネル共有などの利点を提供することができる。
【発明の概要】
【発明が解決しようとする課題】
【０００４】
したがって、本発明は、従来技術の限界及び欠点に起因する一つ以上の問題を実質的に除去するためのものであって、移動通信システムで制御チャネルを送信する方法を目指すものである。
【０００５】
本発明の目的は、移動通信システムで制御チャネルを送信する方法において存在する前記問題を解決することである。
【課題を解決するための手段】
【０００６】
上記課題を解決するための本発明の一様態では、移動通信システムにおいて第１チャネル及び第２チャネルを送信する方法であって、前記第１チャネルのプリアンブル及びポストアンブルのうち一つの送信区間がＣＭギャップと一部重なる場合、前記ＣＭギャップを除く前記第１チャネル送信区間の残りの送信区間に、第１チャネルを送信し、前記第１チャネルの送信を開始して一定時間が経過した後に検出のための情報を含む前記第２チャネルを送信する、ことを有し、前記システムは不連続送信（Discontinuous Transmission：ＤＴＸ）方式及び圧縮モード（Compressed Mode）方式を利用する。
【０００７】
本発明の一様態において、前記第１チャネルはＤＰＣＣＨであり、前記第２チャネルはＥ−ＤＣＨ及びＨＳ−ＤＰＣＣＨのうち一つでありうる。
【０００８】
本発明の一様態において、前記第１チャネル及び前記第２チャネルは、相異なるコードまたは相異なる直交位相成分を用いて多重化されることができる。
【０００９】
本発明の一様態において、前記第２チャネルのプリアンブルが同期化及び電力制御を行なうための制御情報を含む長い長さのプリアンブルである場合には、前記第１チャネル及び第２チャネルをいずれも送信しない。
【００１０】
本発明の一様態において、前記第１チャネル及び第２チャネルはそれぞれ、不連続送信方式によって信号が送信されないＤＴＸ区間を含むことができる。
【００１１】
上記課題を解決するための本発明の他の様態では、制御チャネルを送信する方法において、前記制御チャネルのプリアンブルを送信する送信区間がＣＭギャップと一部重なる場合、前記ＣＭギャップを送信区間から除いた残りの送信区間に前記制御チャネルのプリアンブルを送信し、前記制御チャネル及び前記制御チャネルが検出に用いられる情報を含む拡張されたチャネルを送信する、ことを有し、
前記制御チャネル及び前記拡張されたチャネルはそれぞれ送信制限区間を含む、制御チャネル送信方法が提供される。
【００１２】
本発明の他の様態において、前記拡張されたチャネルはＥ−ＤＣＨであり、前記制御チャネルはＤＰＣＣＨでありうる。
【発明の効果】
【００１３】
上述した本発明の一実施例によると、移動通信システムの効率を上げることができる。また、一部の送信誤りが予想される場合であっても、一送信単位の一部を送信できない場合、残りの信号は送信することで、送信リソースの浪費を防き、より効果的なリソーススケジューリングが可能になる。この時、生じうる誤りは、チャネルに適用される誤り訂正及び検出方法によって訂正及び検出されるため、送受信成功確率を高め、その効果を増大させることができる。
【図面の簡単な説明】
【００１４】
【図１】圧縮モード（Compressed mode）送信方式を説明するための図である。
【図２】Ｅ−ＤＣＨの不連続送信動作を示す図である。
【図３】Ｅ−ＤＣＨ送信において圧縮モード送信方式と不連続送信方式が同時に適用される場合、本発明の一実施例による使用者機器の動作を説明するための図である。
【図４】Ｅ−ＤＣＨ送信において圧縮モード送信方式と不連続送信方式が同時に適用される場合、本発明の他の実施例による使用者機器の動作を説明するための図である。
【図５】Ｅ−ＤＣＨ送信において圧縮モード送信方式と不連続送信方式が同時に適用される場合、本発明の他の実施例による使用者機器の動作を説明するための図である。
【図６】ＨＳ−ＤＰＣＣＨの不連続送信動作を示す図である。
【図７】ＨＳ−ＤＰＣＣＨ送信において圧縮モード送信方式と不連続送信方式が同時に適用される場合、本発明の一実施例による使用者機器の動作を説明するための図である。
【図８】ＨＳ−ＤＰＣＣＨ送信において圧縮モード送信方式と不連続送信方式が同時に適用される場合、本発明の他の実施例による使用者機器の動作を説明するための図である。
【発明を実施するための形態】
【００１５】
以下、本発明の好適な実施形態を添付の図面を参照しつつ詳細に説明する。添付の図面と共に以下に開示される詳細な説明は、本発明の例示的な実施形態を説明するためのもので、本発明が実施されうる唯一の実施形態を開示するためのものではない。
【００１６】
以下の詳細な説明は、本発明の完全な理解を助けるために具体的な細部事項を含む。しかし、当業者には、本発明がこのような具体的な細部事項なしにも実施できるということが理解される。例えば、以下の説明では一定の用語を中心に説明するが、それらの用語に限定される必要はなく、任意の用語で説明される場合にも同じ意味を表すことができる。
【００１７】
場合によって、本発明の概念が曖昧になるのを避けるために、公知の構造及び／または装置は省略されても良く、各構造及び／または装置の核心機能を中心にしたブロック図及び／または流れ図の形式で示すことができる。また、本明細書全体を通じて同一の構成要素には同一の図面符号を付して説明する。
【００１８】
図１は、圧縮モード（Compressed mode）送信方式を示す図である。
【００１９】
図１に基づいて圧縮モード送信方式による概略的なフレーム構造を説明する。圧縮モード送信方式によると、いずれか一つあるいは連続した二つのフレームを、フレーム中間あるいは二つのフレーム間に圧縮モードによる圧縮モード（ＣＭ）ギャップを含む、圧縮フレームとして使用することとなる。言い換えると、圧縮フレームとして使用されるように決定されたフレーム中の一部スロット、すなわち、ＣＭギャップに含まれるスロットは、データ送信に用いられない。これは、ＣＭギャップ内でデータ送／受信を一時中断して、隣接セル及び隣接ネットワーク検索などの動作を行なうためである。
【００２０】
ＣＭギャップの存在によって減少するプロセシングゲインによる影響を減らし、通信品質を維持する目的で、圧縮フレームの一部スロットに対しては送信電力を増加させてデータを送信することができる。図１に示すように、増加する送信電力を持つデータを送信するスロットは、上記のＣＭギャップの開始前及び終了後のスロットに位置することが好ましい。また、圧縮フレームの一部スロットで増加する電力量は、送信時間の減少によって決定されることができる。上述した通信品質を測定できる要素には、ビット誤り率（Bit Error Rate：ＢＥＲ）、フレーム誤り率（Frame Error Rate：ＦＥＲ）などが挙げられる。
【００２１】
どのフレームを上述した圧縮フレームとして使用するかは、ネットワーク上で決定でき、圧縮モードで圧縮フレームは周期的に発生することができ、必要時には要請に応じて発生することもできる。圧縮フレームの比率及びタイプは様々であり、チャネル環境及び測定による要求事項などによって決定されることができる。
【００２２】
以下、電力制御方法の一つとして上り不連続送信（Discontinuous transmission：ＤＴＸ）方式について説明する。通信システムにおいて使用者機器のバッテリー消耗を減らし、アップリンクチャネル容量を増加させる目的で、上り送信において不連続送信動作が設計される。これは、使用者機器のデータを不連続的に送信するということを意味する。すなわち、使用者機器の側面でデータを送信する区間とデータを送信しない区間、すなわち、ＤＴＸ区間を区分して電力を制御する方式を意味する。
【００２３】
例えば、このようにＤＴＸ区間を区分して使用すると、常にデータを送信するわけではないだけに、データ送信が要求される場合にのみ使用者機器の電力を使用したり電源を「オン」状態に維持し、そうでない場合には、「スリープ」状態または電源「オフ」状態など電力消耗を最小限にする状態などに、状態が切り換わるようにすることができる。
【００２４】
上述したアップリンク不連続送信方式と圧縮モード送信方式が同時に動作される場合、使用者機器の正確な動作が明らかにされることが好ましい。以下、本発明の実施例に上げてアップリンク圧縮モード方式とアップリンク不連続送信方式が同時に適用される場合における使用者機器の動作について具体的に説明する。
【００２５】
まず、本発明の一実施例として、拡張専用チャネル（Enhanced-Dedicated Channel：Ｅ−ＤＣＨ）の不連続送信と関連する使用者機器の動作について説明する。
【００２６】
図２は、Ｅ−ＤＣＨの不連続送信動作を示す図である。
【００２７】
図２を参照すると、Ｅ−ＤＣＨは、アップリンクパケットデータ伝送チャネルの一つとして拡張専用物理データチャネル（Enhanced-Dedicated Physical data Channel：Ｅ−ＤＰＤＣＨ）及び拡張専用物理制御チャネル（Enhanced-Dedicated Physical Control Channel：Ｅ−ＤＰＣＣＨ）のような物理チャネルにマッピングされる。Ｅ−ＤＰＤＣＨは、Ｅ−ＤＣＨ送信チャネルを送るために用いられ、Ｅ−ＤＰＣＣＨは、Ｅ−ＤＣＨと関連する制御情報を送信するために用いられる物理チャネルである。Ｅ−ＤＰＤＣＨとＥ−ＤＰＣＣＨは一緒に送信されるのが一般的である。
【００２８】
また、Ｅ−ＤＰＤＣＨとＥ−ＤＰＣＣＨを通じてＥ−ＤＣＨを送信する時に、受信側、例えば、ノードＢ（node-B）でＥ−ＤＣＨの検出またはチャネル推定に用いられてＥ−ＤＣＨ復調を容易にさせるために、専用物理制御チャネル（Dedicated Physical Control Channel：ＤＰＣＣＨ）も一緒に送信する。より具体的に、ＤＰＣＣＨを通じては、第１階層で生成される制御情報が送信される。例えば、チャネル推定を支援するためのアップリンクパイロットを含め、フィードバック情報（ＦＢＩ）、電力制御（ＴＰＣ）コマンド及び伝送フォーマット組合せインジケータ（transport-format combination indicator：ＴＦＣＩ）のうち、一つ以上を送信することができる。
【００２９】
一方、Ｅ−ＤＰＣＣＨを通じては、Ｅ−ＤＣＨ復調に用いられる制御情報としてＤＰＣＣＨを通じて伝送されない、すなわち、Ｅ−ＤＣＨに特徴的な制御情報を送信することができる。例えば、Ｅ−ＤＰＣＣＨを通じてＥ−ＤＰＤＣＨのＴＦＣＩ、ＨＡＲＱ情報及びスケジューリング要請情報を送信することができる。この時、Ｅ−ＤＰＤＣＨ、Ｅ−ＤＰＣＣＨ及びＤＰＣＣＨは同時に送信されることができ、それぞれは、相異なるコードまたは相異なる直交位相成分を用いて多重化される。
【００３０】
図２からわかるように、使用者機器は、Ｅ−ＤＰＤＣＨとＥ−ＤＰＣＣＨを送信するに先立ってまずＤＰＣＣＨ送信を開始する。言い換えると、ＤＰＣＣＨ送信を開始して一定時間または一定個数のスロットを送信した後に、Ｅ−ＤＰＤＣＨとＥ−ＤＰＣＣＨ送信を開始する。このようにＥ−ＤＰＤＣＨとＥ−ＤＰＣＣＨ送信に先立って送信されるＤＰＣＣＨ信号を、ＤＰＣＣＨプリアンブルと称する。図３では、ＤＰＣＣＨプリアンブルとして２個のスロットを使用した場合を示す。以下、ＤＰＣＣＨプリアンブルとして使われるスロットの数を「Ｎ」という。
【００３１】
使用者機器は、Ｅ−ＤＰＤＣＨとＥ−ＤＰＣＣＨの送信を完了した後、または、予め定められた個数のスロットを送信した後に、Ｅ−ＤＣＨ送信過程を終了する。このように、Ｅ−ＤＰＤＣＨとＥ−ＤＰＣＣＨ送信完了の後に送信されるＤＰＣＣＨ信号を、「ＤＰＣＣＨポストアンブル」と称する。図３では、ＤＰＣＣＨポストアンブルとして１個のスロットを使用した場合を示す。以下、ＤＰＣＣＨポストアンブルとして使用されるスロットの数を「Ｍ」という。
【００３２】
上述したように、Ｅ−ＤＰＤＣＨとＥ−ＤＰＣＣＨ送信以前及び以降にＤＰＣＣＨプリアンブル及びＤＰＣＣＨポストアンブルをそれぞれ送信することによって、受信側、例えば、ノードＢでＥ−ＤＣＨ検出をより高い成功確率で行なえるようにする。
【００３３】
上述したＤＰＣＣＨプリアンブルにおいて、ＤＰＣＣＨプリアンブルとして使われるスロットの数は、使用者機器におけるデータ送信状態によって決定されることができる。例えば、Ｅ−ＤＣＨ送信以前に既設定された時間区間よりも長い時間の間に使用者の送信したデータがない場合には、既設定された時間区間またはより短い時間の間に使用者の送信したデータがない場合よりも多い数のスロットをＤＰＣＣＨプリアンブルとして使用することができる。
【００３４】
もし、既設定された時間区間またはより短い時間の間に使用者の送信したデータがない場合にＤＰＣＣＨプリアンブルとして使われるスロットの個数Ｎ１が２なら、既設定された時間区間よりも長い時間の間に使用者の送信したデータがない場合にＤＰＣＣＨプリアンブルとして使われるスロットの個数Ｎ２は１５と設定することができる。これは、より長い時間の間にデータ送信がないとすれば、アップリンク同期を合わせるために必要な制御情報も送信されなければならなく、電力制御を行なうために要求される制御情報がより多く送信されることが好ましいためである。
【００３５】
図２に示すように、ＤＰＣＣＨ送信において、上述したように、Ｅ−ＤＰＤＣＨとＥ−ＤＰＣＣＨ送信以前に一定個数Ｎのスロット、例えば、２スロットだけ先にＤＰＣＣＨプリアンブルが送信され、Ｅ−ＤＰＤＣＨとＥ−ＤＰＣＣＨ送信以降に一定個数Ｍのスロット、例えば、１スロットだけＤＰＣＣＨポストアンブルが送信される。このようにＤＰＣＣＨプリアンブルが送信されながらＥ−ＤＰＤＣＨとＥ−ＤＰＣＣＨが送信され、ＤＰＣＣＨポストアンブルが送信されることで終了する一連の過程を、一送信単位とすることができる。図２で、左側に示される一送信単位を第１送信単位、同図の右側に示される一送信単位を第２送信単位とする。
【００３６】
この場合、第１送信単位と第２送信単位との間に一定のＤＴＸ区間が設定されることができる。このＤＴＸ区間ではデータ送信がなされない。以降、ＤＴＸ区間が終了すると、再びＤＰＣＣＨプリアンブルが送信されながらＥ−ＤＣＨ、すなわちＥ−ＤＰＤＣＨとＥ−ＤＰＣＣＨが送信され、ＤＰＣＣＨポストアンブルが送信されることで、一送信単位のデータ送信が終了する。
【００３７】
上述したＥ−ＤＣＨの不連続送信方式と圧縮モード送信方式が同時に適用される場合に、使用者機器でＥ−ＤＣＨを送信する方法について説明する。
【００３８】
図３は、Ｅ−ＤＣＨ送信において圧縮モード送信方式と不連続送信方式が同時に適用される場合、本発明の一実施例による使用者機器の動作を説明するための図である。
【００３９】
上述したように、Ｅ−ＤＣＨ送信のためにＥ−ＤＰＤＣＨとＥ−ＤＰＣＣＨが送信され、Ｅ−ＤＰＤＣＨとＥ−ＤＰＣＣＨと一緒にＤＰＣＣＨも送信される。また、先に送信される第１送信単位と続いて送信される第２送信単位に対する送信間には不連続送信方式適用によってＤＴＸ区間が存在する。
【００４０】
言い換えると、第１送信単位に該当するデータ送信が完了してＤＴＸ区間が経過した後に、ＤＰＣＣＨプリアンブルが送信されながら第２送信単位に該当するデータ送信が始まる。
【００４１】
この時、図３に示すように、第２送信単位のＤＰＣＣＨプリアンブルの一部が圧縮モード送信方式適用によってＣＭギャップに送信されるように決定される場合、本発明の一実施例によってＣＭギャップに一部あるいは全体が重なるスロットにはＤＰＣＣＨプリアンブルを送信しないが、残りのＤＰＣＣＨプリアンブルとＤＰＣＣＨ信号及びＤＰＣＣＨポストアンブルの他、Ｅ−ＤＰＤＣＨとＥ−ＤＰＣＣＨはいずれも送信する。もしＤＰＣＣＨポストアンブルが圧縮モード送信方式適用によってＣＭギャップに送信されるように決定される場合、本発明の一実施例によってＣＭギャップに一部あるいは全体が重なるスロットにはＤＰＣＣＨポストアンブルを送信しないが、ＤＰＣＣＨプリアンブルとＤＰＣＣＨ信号及び残りのＤＰＣＣＨポストアンブルの他に、Ｅ−ＤＰＤＣＨとＥ−ＤＰＣＣＨはいずれも送信する。
【００４２】
これは、Ｅ−ＤＣＨデータは誤り有無を確認できるエラーチェックサム（Error Check Sum：ＥＣＳ）を使用することができ、ＨＡＲＱ動作が行なわれるから、ＤＰＣＣＨプリアンブル及びＤＰＣＣＨポストアンブルのうち一つ以上がＣＭギャップに送信されるように決定され、送信不可能であっても、受信側でＤＰＣＣＨプリアンブル及びＤＰＣＣＨポストアンブルの欠如に起因する受信性能の減少を容易に回復できるためである。
【００４３】
図４は、Ｅ−ＤＣＨ送信において圧縮モード送信方式と不連続送信方式が同時に適用される場合、本発明の他の実施例による使用者機器の動作を説明するための図である。
【００４４】
既設定された時間区間よりも長い時間の間に使用者の送信したデータがない場合、図４に示すように、ＤＰＣＣＨプリアンブルとして使われるスロットの個数Ｎ２は１５個と設定することができる。これは、上述したように、より長い時間の間にデータ送信がないとすれば、アップリンク同期を合わせるために必要な制御情報も送信しなければならないし、電力制御を行なうために要求される制御情報がより多く送信されることが好ましいためである。
【００４５】
本実施例においても、図３の実施例と同様に、長い長さのＤＰＣＣＨプリアンブルの一部が圧縮モード送信方式適用によってＣＭギャップに送信されるように決定される場合、本発明の一実施例によってＣＭギャップに一部あるいは全体が重なるスロットにはＤＰＣＣＨプリアンブルを送信しないが、残りのＤＰＣＣＨプリアンブルとＤＰＣＣＨ信号及びＤＰＣＣＨポストアンブルの他、Ｅ−ＤＰＤＣＨとＥ−ＤＰＣＣＨはいずれも送信する。
【００４６】
同様に、もしＤＰＣＣＨポストアンブルが圧縮モード送信方式適用によってＣＭギャップに送信されるように決定される場合、本発明の一実施例によってＣＭギャップに一部あるいは全体が重なるスロットにはＤＰＣＣＨポストアンブルを送信しないが、ＤＰＣＣＨプリアンブルとＤＰＣＣＨ信号及び残りのＤＰＣＣＨポストアンブルの他、Ｅ−ＤＰＤＣＨとＥ−ＤＰＣＣＨはいずれも送信することができる。
【００４７】
図５は、Ｅ−ＤＣＨ送信において圧縮モード送信方式と不連続送信方式が同時に適用される場合、本発明のさらに他の実施例による使用者機器の動作を説明するための図である。
【００４８】
本実施例では、図３及び図４の実施例と違い、長い長さのＤＰＣＣＨプリアンブルの一部が圧縮モード送信方式適用によってＣＭギャップに送信されるように決定される場合、本発明の一実施例によってＣＭギャップに重なるスロットの他、このＤＰＣＣＨプリアンブルと関連する送信単位全体に対してＤＰＣＣＨ及び残りのチャネル信号のいずれも送信しない。言い換えると、このＤＰＣＣＨプリアンブルと関連する残りのＤＰＣＣＨプリアンブルとＤＰＣＣＨ信号、ＤＰＣＣＨポストアンブル、Ｅ−ＤＰＤＣＨ及びＥ−ＤＰＣＣＨのいずれも送信しない。
【００４９】
同様に、もしＤＰＣＣＨポストアンブルが圧縮モード送信方式適用によってＣＭギャップに送信されるように決定される場合、本発明の一実施例によってＣＭギャップに重なるスロットの他、このＤＰＣＣＨプリアンブルと関連する送信単位全体に対してＤＰＣＣＨ及び残りのチャネル信号のいずれも送信しない。言い換えると、ＤＰＣＣＨプリアンブルとＤＰＣＣＨ信号、残りのＤＰＣＣＨポストアンブル、Ｅ−ＤＰＤＣＨ及びＥ−ＤＰＣＣＨのいずれも送信しない。
【００５０】
予め定められた時間区間の間にデータ送信がない後に送信される長い長さのＤＰＣＣＨプリアンブルを通じて、アップリンク同期を合わせるための制御情報と電力を制御するために必要な制御情報が送信される。したがって、長い長さのＤＰＣＣＨプリアンブルを正しく受信できない場合には上り同期確立に困難が生じることがあり、このような場合、データ送受信に致命的な誤りが生じうる。
【００５１】
次に、本発明の一実施例として、ハイスピード専用物理制御チャネル（High Speed-Dedicated Physical Control Channel：ＨＳ−ＤＰＣＣＨ）の不連続送信と関連する使用者機器の動作について説明する。
【００５２】
図６は、ＨＳ−ＤＰＣＣＨの不連続送信動作を示す図である。
【００５３】
ＨＳ−ＤＰＣＣＨは、ハイスピードダウンリンク共用チャネル（High Speed-Downlink Shared Channel：ＨＳ−ＤＳＣＨ）の送信と関連するアップリンクフィードバックシグナルを送る。ＨＳ−ＤＳＣＨ関連フィードバックシグナルは、ＨＡＲＱ確認（ＡＣＫ／ＮＡＣＫ）及びチャネル品質指示（Channel Quality Indication）を含む。
【００５４】
ＨＳ−ＤＰＣＣＨを送信する時、上述したＥ−ＤＣＨと同様に、受信側、例えば、ノードＢでＨＳ−ＤＰＣＣＨの検出またはチャネル推定に用いられてＨＳ−ＤＰＣＣＨ復調を容易にさせるために、ＤＰＣＣＨも一緒に送信する。すなわち、ＤＰＣＣＨを通じてチャネル推定などを行なうためのパイロットを含め、電力制御及び必要な制御情報を送信することができる。この時も、ＨＳ−ＤＰＣＣＨ及びＤＰＣＣＨは同時に送信されることができ、それぞれは、相異なるコードまたは相異なる直交位相成分を用いて多重化される。
【００５５】
図６からわかるように、使用者機器は、ＨＳ−ＤＰＣＣＨを送信するに先立ってまずＤＰＣＣＨ送信を開始する。言い換えると、ＤＰＣＣＨ送信を開始して一定時間または一定個数のスロットを送信した後にＨＳ−ＤＰＣＣＨ送信を開始する。このように、ＨＳ−ＤＰＣＣＨ送信以前にまず送信されるＤＰＣＣＨ信号を、「ＤＰＣＣＨプリアンブル」と称する。図６では、ＤＰＣＣＨプリアンブルとして２個のスロットを使用した場合を示す。以下、ＤＰＣＣＨプリアンブルとして使用されるスロットの数を「Ｎ」という。
【００５６】
また、使用者機器は、ＨＳ−ＤＰＣＣＨ送信を完了した後にも、ＤＰＣＣＨを一定時間または一定個数のスロット送信してからＨＳ−ＤＰＣＣＨ送信過程を終了する。このようにＨＳ−ＤＰＣＣＨ送信完了以降に送信されるＤＰＣＣＨ信号を、「ＤＰＣＣＨポストアンブル」と称する。図６では、ＤＰＣＣＨポストアンブルとして１個のスロットを使用した場合を示す。以下、ＤＰＣＣＨポストアンブルとして使用されるスロットの数を「Ｍ」という。
【００５７】
上述したように、ＨＳ−ＤＰＣＣＨ送信以前及び以降にＤＰＣＣＨプリアンブル及びＤＰＣＣＨポストアンブルをそれぞれ送信することによって、受信側、例えば、ノードＢでＨＳ−ＤＰＣＣＨ検出をより高い成功確率で行なえるようにする。
【００５８】
図６に示すように、ＤＰＣＣＨ送信において、上述したように、ＨＳ−ＤＰＣＣＨ送信以前に一定個数Ｎのスロット、例えば、２スロットだけ先にＤＰＣＣＨプリアンブルが送信され、ＨＳ−ＤＰＣＣＨ送信以降に一定個数Ｍのスロット、例えば、１スロットだけＤＰＣＣＨポストアンブルが送信される。
【００５９】
このようにＤＰＣＣＨプリアンブルが送信され、ＨＳ−ＤＰＣＣＨが送信され、ＤＰＣＣＨポストアンブルが送信される一連の過程を一送信単位とすることができる。図６で、左側に示される一送信単位を第１送信単位、同図の右側に示される一送信単位を第２送信単位と称する。
【００６０】
この場合、第１送信単位と第２送信単位との間に一定のＤＴＸ区間が設定され、ＤＴＸ区間ではデータ送信がなされない。以降、ＤＴＸ区間が終了すると、再びＤＰＣＣＨプリアンブルが送信されながらＨＳ−ＤＰＣＣＨが送信され、ＤＰＣＣＨポストアンブルが送信されることで一送信単位のデータ送信が終了する。
【００６１】
この時、上述したＥ−ＤＣＨの不連続送信方式と対比すると、上述したＥ−ＤＣＨの不連続送信方式では、ＤＰＣＣＨプリアンブルが送信される２個のスロットの次のスロットから直ちにＥ−ＤＰＤＣＨとＥ−ＤＰＣＣＨが送信されるのに対し、ＨＳ−ＤＰＣＣＨの不連続送信方式では、図６に示すように、ＤＰＣＣＨプリアンブルが送信されるスロットの次のスロットの略中間からＨＳ−ＤＰＣＣＨが送信される。
【００６２】
また、ＤＰＣＣＨポストアンブル送信においても、上述したＥ−ＤＣＨの不連続送信方式では、ＤＰＣＣＨポストアンブルが送信されるスロットの直前までＥ−ＤＰＤＣＨとＥ−ＤＰＣＣＨが送信されるのに対し、ＨＳ−ＤＰＣＣＨの不連続送信方式では、図６に示すように、ＤＰＣＣＨポストアンブルが送信されるスロットの直前のスロットの略中間までＨＳ−ＤＰＣＣＨが送信される。
【００６３】
次に、上記のＨＳ−ＤＰＣＣＨの不連続送信方式と圧縮モード送信方式が同時に適用される場合、使用者機器でＨＳ−ＤＰＣＣＨを送信する方法について説明する。
【００６４】
図７は、ＨＳ−ＤＰＣＣＨ送信において圧縮モード送信方式と不連続送信方式が同時に適用される場合、本発明の一実施例による使用者機器の動作を説明するための図である。
【００６５】
上述したように、ＨＳ−ＤＰＣＣＨ送信のためにＨＳ−ＤＰＣＣＨが送信され、ＨＳ−ＤＰＣＣＨと一緒にＤＰＣＣＨも送信される。また、先に送信される第１送信単位とその次に送信される第２送信単位に対する送信間には不連続送信方式適用によってＤＴＸ区間が存在する。
【００６６】
言い換えると、第１送信単位に該当するデータ送信が完了して不連続区間が経過した後に、ＤＰＣＣＨプリアンブルが送信されながら第２送信単位に該当するデータ送信が始まる。
【００６７】
この時、第２送信単位のＤＰＣＣＨプリアンブルの一部が圧縮モード送信方式適用によってＣＭギャップに送信されるように決定される場合、本発明の一実施例によってＣＭギャップに一部あるいは全体が重なるスロットにはＤＰＣＣＨプリアンブルを送信しないが、残りのＤＰＣＣＨプリアンブルとＤＰＣＣＨ信号及びＤＰＣＣＨポストアンブルの他、ＨＳ−ＤＰＣＣＨはいずれも送信する。
【００６８】
もし、ＤＰＣＣＨポストアンブルが圧縮モード送信方式適用によってＣＭギャップに送信されるように決定される場合、本発明の一実施例によってＣＭギャップに一部あるいは全体が重なるスロットにはＤＰＣＣＨポストアンブルを送信しないが、ＤＰＣＣＨプリアンブルとＤＰＣＣＨ信号及び残りのＤＰＣＣＨポストアンブルの他、ＨＳ−ＤＰＣＣＨはいずれも送信する。
【００６９】
図８は、ＨＳ−ＤＰＣＣＨ送信において圧縮モード送信方式と不連続送信方式が同時に適用される場合、本発明の他の実施例による使用者機器の動作を説明するための図である。
【００７０】
本実施例では、図７の実施例と違い、ＤＰＣＣＨプリアンブルの一部が圧縮モード送信方式適用によってＣＭギャップに送信されるように決定される場合、本発明の一実施例によってＣＭギャップに重なるスロットだけでなく、このＤＰＣＣＨプリアンブルと関連する送信単位全体に対してＤＰＣＣＨ及び残りのチャネル信号のいずれも送信しない。すなわち、このＤＰＣＣＨプリアンブルと関連する残りのＤＰＣＣＨプリアンブルとＤＰＣＣＨ信号、ＤＰＣＣＨポストアンブル、ＨＳ−ＤＰＣＣＨのいずれも送信しない。
【００７１】
同様に、もしＤＰＣＣＨポストアンブルが圧縮モード送信方式適用によってＣＭギャップに送信されるように決定される場合、本発明の一実施例によってＣＭギャップに重なるスロットだけでなく、このＤＰＣＣＨプリアンブルと関連する送信単位全体に対してＤＰＣＣＨ及び残りのチャネル信号のいずれも送信しない。すなわち、ＤＰＣＣＨプリアンブルとＤＰＣＣＨ信号、残りのＤＰＣＣＨポストアンブル、ＨＳ−ＤＰＣＣＨのいずれも送信しない。
【００７２】
これは、ＨＳ−ＤＰＣＣＨデータは誤り有無を確認できるＥＣＳが適用されないことがあり、ＨＡＲＱ動作も行なわれないことがあり、したがって、ＤＰＣＣＨプリアンブル及びＤＰＣＣＨポストアンブルのうち一つ以上がＣＭギャップに送信されるように決定され、送信不可能な場合には、受信端でＤＰＣＣＨプリアンブル及びＤＰＣＣＨポストアンブルの欠如に起因する受信性能減少が発生する確率が高いためである。
【００７３】
以上開示された本発明の好ましい実施形態についての詳細な説明は、当業者が本発明を具現して実施できるように提供された。以上では具体的な実施形態に挙げて本発明を説明してきたが、該当技術分野における熟練した当業者には、添付の特許請求の範囲に記載された本発明の思想及び領域を逸脱しない範囲内で本発明を様々に修正及び変更できるということがわかる。上述した実施例ではＥ−ＤＰＤＣＨ／Ｅ−ＤＰＣＣＨ及びＨＳ−ＤＰＣＣＨとＤＰＣＣＨを一緒に送信する場合に適用された例を説明したが、その他の多様なチャネル信号に対しても本明細書に記述された送信方法と同一または類似の方法を使用することができるということは自明である。
【００７４】
すなわち、本特許は、ここに開示された実施形態に制限されるものではなく、ここに開示された原理及び特徴と一致する最も広い範囲に対する権利を受けるためのものである。
【図１】
2010518678.tif 000003
【図２】
2010518678.tif 000004
【図３】
2010518678.tif 000005
【図４】
2010518678.tif 000006
【図５】
2010518678.tif 000007
【図６】
2010518678.tif 000008
【図７】
2010518678.tif 000009
【図８】
2010518678.tif 000010
【国際調査報告】
2010518678.tif 000011
2010518678.tif 000012